【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
複数種類のアイコンを表示可能な表示手段を備えた遊技台であって、
前記複数種類のアイコンのうちの一の種類のアイコンは、保留アイコンであり、
前記複数種類のアイコンのうちの一の種類のアイコンは、予告アイコンであり、
前記保留アイコンは、保留数に応じた数の表示が表示されるアイコンであり、
前記予告アイコンは、表示されている数によって前記保留数を表示するものではないアイコンであり、
前記保留アイコンと前記予告アイコンが表示されている状態で電断が発生し復電した場合（以下、「第一の場合」という。）に前記保留アイコンは第一の態様で表示され、
前記第一の場合に前記予告アイコンは表示されず、
前記第一の態様は、保留アイコンのデフォルトの表示態様である、
ことを特徴とする遊技台。
【請求項２】
請求項１に記載の遊技台であって、
前記複数種類のアイコンのうちの一の種類のアイコンは、変動アイコンであり、
前記変動アイコンは、図柄変動表示の実行中の少なくとも一部の期間で表示されるアイコンであり、
前記第一の場合における電断前に前記変動アイコンが表示されていたとしても復電後に該変動アイコンは表示されない、
ことを特徴とする遊技台。
【請求項３】
請求項１または請求項２に記載の遊技台であって、
一回の図柄変動表示が実行されている期間において、前記予告アイコンが第一の数の消化がされた場合よりも、該第一の数よりも大きい第二の数の消化がされた場合の方が大当りとなりやすく、
前記表示手段は、複数種類の予告表示を表示可能な手段であり、
前記表示手段は、先読みの対象である図柄変動表示が開始されるよりも前に、先読み予告表示として前記予告アイコンを表示可能な手段である、
ことを特徴とする遊技台。
【請求項４】
請求項３に記載の遊技台であって、
前記予告アイコンは、前記予告表示が表示される可能性がある回数に応じた数が表示される、
ことを特徴とする遊技台。
【請求項５】
請求項３または請求項４に記載の遊技台であって、
前記第一の場合に、前記先読み予告表示として表示されていた保留アイコンが前記第一の態様で表示される、
ことを特徴とする遊技台。
【請求項６】
請求項３乃至請求項５のいずれか一項に記載の遊技台であって、
前記表示手段は、前記予告表示の態様と同じ態様の偽の予告表示を表示可能な手段である、
ことを特徴とする遊技台。
【請求項７】
請求項１乃至請求項６のいずれか一項に記載の遊技台であって、
前記予告アイコンが表示されている状態で大当りになる場合がある、
ことを特徴とする遊技台。
【請求項８】
請求項１乃至請求項７のいずれか一項に記載の遊技台であって、
前記予告アイコンは、大当り中に消化される場合がある、
ことを特徴とする遊技台。
【請求項９】
請求項１乃至請求項８のいずれか一項に記載の遊技台であって、
前記予告アイコンが消化される順番によって大当りの信頼度が変化する、
ことを特徴とする遊技台。
【請求項１０】
請求項１乃至請求項９のいずれか一項に記載の遊技台であって、
前記遊技台は、パチンコ機である、
ことを特徴とする遊技台。
【手続補正２】
【補正対象書類名】明細書
【補正対象項目名】０００２
【補正方法】変更
【補正の内容】
【０００２】
従来、表示手段を備えた遊技台が提案されている（例えば、特許文献１参照）。
【手続補正３】
【補正対象書類名】明細書
【補正対象項目名】０００４
【補正方法】変更
【補正の内容】
【０００４】
しかしながら、従来の遊技台は、表示手段に改良の余地がある。
【手続補正４】
【補正対象書類名】明細書
【補正対象項目名】０００５
【補正方法】変更
【補正の内容】
【０００５】
本発明の目的は、表示手段に特徴を持った遊技台を提供することにある。
【手続補正５】
【補正対象書類名】明細書
【補正対象項目名】０００６
【補正方法】変更
【補正の内容】
【０００６】
本発明に係る遊技台は、複数種類のアイコンを表示可能な表示手段を備えた遊技台であって、前記複数種類のアイコンのうちの一の種類のアイコンは、保留アイコンであり、前記複数種類のアイコンのうちの一の種類のアイコンは、予告アイコンであり、前記保留アイコンは、保留数に応じた数の表示が表示されるアイコンであり、前記予告アイコンは、表示されている数によって前記保留数を表示するものではないアイコンであり、前記保留アイコンと前記予告アイコンが表示されている状態で電断が発生し復電した場合（以下、「第一の場合」という。）に前記保留アイコンは第一の態様で表示され、前記第一の場合に前記予告アイコンは表示されず、前記第一の態様は、保留アイコンのデフォルトの表示態様である、ことを特徴とする遊技台である。
【手続補正６】
【補正対象書類名】明細書
【補正対象項目名】０００７
【補正方法】変更
【補正の内容】
【０００７】
本発明によれば、表示手段に特徴を持った遊技台を実現できる。
【手続補正７】
【補正対象書類名】明細書
【補正対象項目名】１０５２４
【補正方法】変更
【補正の内容】
【１０５２４】
本実施形態に係る遊技台は、複数種類のアイコンを表示可能な表示手段を備えた遊技台であって、前記複数種類のアイコンのうちの一の種類のアイコンは、保留アイコン（例えば、図９０３に記載の保留アイコンｈ１１，ｈ１２）であり、前記複数種類のアイコンのうちの一の種類のアイコンは、予告アイコン（例えば、図９０３に記載の予告アイコンＩ６〜Ｉ１０）であり、前記保留アイコンは、保留数に応じた数の表示が表示されるアイコンであり、前記予告アイコンは、表示されている数によって前記保留数を表示するものではないアイコンであり、前記保留アイコンと前記予告アイコンが表示されている状態で電断が発生し復電した場合（以下、「第一の場合」という。）に前記保留アイコンは第一の態様で表示され、前記第一の場合に前記予告アイコンは表示されず、前記第一の態様は、保留アイコンのデフォルトの表示態様である、ことを特徴とする遊技台である。
本実施形態に係る遊技台によれば、表示手段に特徴を持った遊技台を実現できる。
また、前記複数種類のアイコンのうちの一の種類のアイコンは、変動アイコンであり、前記変動アイコンは、図柄変動表示の実行中の少なくとも一部の期間で表示されるアイコンであり、前記第一の場合における電断前に前記変動アイコンが表示されていたとしても復電後に該変動アイコンは表示されなくてもよい。また、一回の図柄変動表示が実行されている期間において、前記予告アイコンが第一の数の消化がされた場合よりも、該第一の数よりも大きい第二の数の消化がされた場合の方が大当りとなりやすく、前記表示手段は、複数種類の予告表示を表示可能な手段であり、前記表示手段は、先読みの対象である図柄変動表示が開始されるよりも前に、先読み予告表示として前記予告アイコンを表示可能な手段であってもよい。また、前記予告アイコンは、前記予告表示が表示される可能性がある回数に応じた数が表示されるものでもよい。また、前記第一の場合に、前記先読み予告表示として表示されていた保留アイコンが前記第一の態様で表示されるものでもよい。また、前記表示手段は、前記予告表示の態様と同じ態様の偽の予告表示を表示可能な手段であってもよい。また、前記予告アイコンが表示されている状態で大当りになる場合があってもよい。また、前記予告アイコンは、大当り中に消化される場合があってもよい。また、前記予告アイコンが消化される順番によって大当りの信頼度が変化するものであってもよい。
次に、本実施形態にかかるパチンコ機１００において実行される演出の他の具体例について説明する。